(57)【要約】      （修正有）【課題】梱包を容易にすると共に、搬送時に衝撃を受けた場合でも、フレームのねじれ変形がなく故障が少ないホワイトボードを提供する。【解決手段】表面及び裏面に筆記が可能な筆記面１と、筆記面の上下左右側面を覆うフレーム２とで構成された筆記ボード３と、左右のフレームの側面中央付近に設けられた軸孔と、左右のフレームの近傍に、上下方向に沿って配置される支柱４と、支柱を連結する連結体５と、左右の支柱に取り付けられた軸部材８とを有するホワイトボードであって、軸部材によって、筆記ボードが支柱に回転可能に支持される。【選択図】図１
0003201463.tif 000002
【実用新案登録請求の範囲】
【請求項１】
表面及び裏面に筆記が可能な筆記面と、この筆記面の上下左右側面を覆うフレームとで構成された筆記ボードと、前記左右のフレームの側面中央付近に設けられた軸孔と、前記左右のフレームの近傍に、上下方向に沿って配置される支柱と、この支柱を連結する連結体と、前記左右の支柱に取り付けられた軸部材とを有するホワイトボードであって、前記軸部材によって、前記筆記ボードが前記支柱に回転可能に支持されることを特徴とするホワイトボード。
【請求項２】
前記軸部材は、その先端部が、前記フレームの軸孔に挿入されるボルト部と、このボルト部より大きい半径を有するナット部で構成されていることを特徴とする請求項１項記載のホワイトボード。
【請求項３】
前記ナット部は、前記筆記ボードの厚さと同程度の直径を有することを特徴とする請求項２項記載のホワイトボード。
【考案の詳細な説明】
【技術分野】
【０００１】
本考案は、ホワイトボードに関するものであって、特に製品の搬送時の故障を防止すると共に、製品の梱包が容易なホワイトボードに関するものである。
【背景技術】
【０００２】
従来から会社での会議や、学校等での授業にホワイトボードが用いられている。
このホワイトボードは、大型の筆記ボードと、この筆記ボードの左右の側面に沿って垂直に伸びる支柱を有するスタンドで構成されるものであり、この筆記ボードは、左右の支柱に軸部材を介して回転可能に取り付けられる。
【０００３】
従来、上述の軸部材は、特許文献１の図６に示されるように、筆記ボード側に設けられており、この軸部材を左右の支柱に設けられたスリット開口に挿入することで、筆記ボードは支柱に回転可能に支持されている。
【０００４】
また、筆記ボードは、筆記面を構成する塗装鋼板とこの塗装鋼板の上下左右端を覆うフレームとで構成されているが、この塗装鋼板とフレームとは、フレームの一方の面側からのみネジで止められている。
【０００５】
【特許文献１】特許第３３４８６９６号
【考案の開示】
【考案が解決しようとする課題】
【０００６】
上述のように、筆記ボードと支柱を連結する軸部材は、筆記ボードの左右側面に設けられているため、筆記ボードと支柱とを分けて梱包する場合、この軸部材が突出して邪魔になり、製品梱包が複雑化していた。
また、筆記ボードは、筆記面とその端部を覆うフレームとが、一方の面側からのみネジ止めされているため、このネジ止めされた側からの衝撃に弱く、そのため、搬送時に衝撃によって、軸部材と支柱との接点が力点となり、ネジ止め部を中心としてフレームが捻じれて変形してしまう故障が発生することがあった。
【０００７】
本考案は、搬送時に衝撃を受けた場合等に発生する可能性のある、筆記ボードのフレームの捻じれ変形を防止すると共に、筆記ボード本体の突出部を排除して、梱包のしやすさを向上させたホワイトボードを提供するものである。
【課題を解決するための手段】
【０００８】
上記課題を解決するため、本考案は、請求項１に記載するように、表面及び裏面に筆記が可能な筆記面と、この筆記面の上下左右側面を覆うフレームとで構成された筆記ボードと、前記左右のフレームの側面中央付近に設けられた軸孔と、前記左右のフレームの近傍に、上下方向に沿って配置される支柱と、この支柱を連結する連結体と、前記左右の支柱に取り付けられた軸部材とを有するホワイトボードであって、前記軸部材によって、前記筆記ボードが前記支柱に回転可能に支持されることを特徴とするものである。
【０００９】
また、請求項２に示すように、前記軸部材は、その先端部が、前記フレームの軸孔に挿入されるボルト部と、このボルト部より大きい半径を有するナット部で構成されていることを特徴とするものであり、更に、請求項３に示すように、前記ボルト部は、前記筆記ボードの厚さと同程度の直径を有することを特徴とするものである。
【考案の効果】
【００１０】
本考案によれば、ホワイトボードにおいて、製品の梱包が容易であり、また製品の搬送時に衝撃を受けた場合であっても、故障を回避することが可能となる。
【考案を実施するための最良の形態】
【００１１】
以下、本考案を実施するための最良の形態について、図面を参照して詳細に説明する。
【実施例】
【００１２】
以下、図に沿って本考案の一実施例を説明する。
図１は本考案の一実施例を示す構成図である。
１は塗装鋼板で構成された筆記面であり、裏面にも筆記可能となっている。
２は筆記面１の上下、左右の端面を覆うように設けられたフレームである。この筆記面１とフレーム２とで筆記ボード３が構成されている。
４は前記筆記ボード３の左右の端面近傍に、平行に設けられた支柱である。
５は左右の支柱４を連結する第１の連結体である。
６は左右の支柱４を連結する第２の連結体である。
２本の支柱４、第１の連結体５、及び第２の連結体６でスタンド７を構成している。
８は筆記ボード３をスタンド７に回転可能に支持する軸部材であり、左右の支柱４に固定され、その先端の突起部が、フレーム２に設けられた軸孔に挿入される。
９は、第１の連結体に設けられたボード固定部であり、前記筆記ボード３の下端部が、このボード固定部９で固定され、或は解除される。
１０は、第１の連結体に設けられたトレイであり、筆記具や消去具がこのトレイ１０に置かれる。
【００１３】
従来の両面に筆記可能なホワイトボードは、支柱４の上方先端部は、筆記ボード３の上下方向の中央付近に位置している。
これに対して、本実施例のホワイトボードでは、支柱４の上方先端部は、筆記ボード３の上端部に位置している。
これは、デザイン性を考慮したものである。
【００１４】
筆記面（塗装鋼板）１の断面を図２に示す。
水性塗膜層１１が、厚さ０．２ｍｍの鉄製の金属板１２に塗装されている。
そして、この金属板１２は、軽量化のために段ボールを用いた厚さ３ｍｍの芯材１３の両面に、水性接着材層１４によって接着されている。
尚、ホワイトボードの大きさに応じて、金属板１２の厚さは０．２ｍｍから０．５ｍｍのものを使用し、芯材１３の厚さは約３ｍｍから７ｍｍのものを使用している。
芯材１３の厚さが薄い場合、水性接着剤１４での金属板１２の接着は難しくなる。
このため、上述のように３ｍｍ以上としている。
【００１５】
軸部材８を支柱４に取り付けた状態の断面図を図３に示す。
軸部材８は、大径の頭部Ａと、ねじが切られた小径の軸部Ｂとからなるボルト部１５と、この軸部Ｂに対応してねじが切られた開口を有するナット部１６で構成されている。
支柱４の側端部に設けられた開口Ｃから、ボルト部１５を挿入し、軸部Ｂの先端部を、支柱４の開口Ｄから突き出した後、ナット部１６で締め付けることによって、軸部材８は支柱４に固定される。
このナット部１６の直径は、筆記ボード３の厚さとほぼ同じ大きさであり、ナット部１６が、筆記ボードの表面、及び裏面から突出しないような寸法形状としている。
【００１６】
筆記ボード３の軸部材８を受ける部分付近の斜視図を図４に示す。
筆記ボード３の左右の端面を覆うフレーム２の側面には上下方向に延びる凹部Ｅが設けられている。
このフレーム２の上下方向の中央部付近には、軸部材８の軸部Ｂの先端が挿入される軸孔Ｆを有するプレート１８が、凹部Ｅ内に埋め込まれるように配置され、フレーム２にねじ止めされている。
尚、筆記面１は、図示しない裏面側において、ネジでフレーム２に固定されている。
【００１７】
従来のホワイトボードでは、筆記ボードのフレームに軸部材が設けてあるため、支柱側の軸孔に挿入するための軸部材の先端が突起となり、この突起を収めるような梱包が必要であった。
また、この軸部材の先端に衝撃が加わると、筆記ボードのフレームが捻じれて変形することがあった。
これに対して、本実施例のように、軸部材を支柱側に設けることにより、筆記ボードに突起が無くなり、製品の梱包が容易となる。
また、軸部材に衝撃が加わっても、フレームと軸部材は別体で構成されているため、軸部材によって、フレームが捻じれて変形することが無くなる。
【００１８】
ボード固定部９の断面図を図５に示す。
ボード固定部９は、第１の連結体５の中央付近にネジで固定される筒状の固定部１９と、筆記ボードの下端部が固定される凹部を有するヘッド部２０で構成されている。
このヘッド部２０は、固定部１９の筒内に、バネ体２１で、図中矢印Ａで示される上下方向に摺動可能に配置されている。
尚、ヘッド部２０は、通常状態でバネ体２１によって上方向に押されている。
【００１９】
例えば、筆記ボード３の裏面に筆記したい場合は、このヘッド部２０を手で下方に押して、ヘッド部２０の頂点を筆記ボード３の下端より下に移動することで、筆記ボード３の固定を解除して、筆記ボード３の裏面を前面とするように、筆記ボード３を回転させる。
筆記ボード３の端面がヘッド部２０に接触するまで回転させると、筆記ボード３の下端面によって、ヘッド部２０は押されて下降し、筆記ボード３が垂直状態になると、ヘッド部２０はバネ体２１によって押されて上昇し、筆記ボード３はボード固定部９に固定される。
尚、第１の連結体５の下面には、トレイ１０がネジで固定されている。
【００２０】
本考案は、上述の実施例に限定されるものではなく、例えば、ホワイトボード本体や軸部材等の寸法、形状等は種々変更可能である。
また、軸部材は、支柱側に設けられていればよく、本実施例の構造に限定されるものではない。例えば、支柱にねじで固定されるような構造であってもよい。
【産業上の利用可能性】
【００２１】
本考案は、ホワイトボードに関するものであり、特に製品を遠方に搬送して用いることを可能とするため、製品の梱包が容易な構造とし、また、製品の搬送時などに衝撃を受けた場合であっても、故障の少ない構造としている。
【図面の簡単な説明】
【００２２】
【図１】図１は、本考案の実施例の形態に係るホワイトボードの構成を示す正面図である。
【図２】図２は、本考案の実施例の形態に係るホワイトボードに用いる塗装鋼板の構造を示す側面図である。
【図３】図３は、本考案の実施例の形態に係るホワイトボードに用いる軸部材の構成を示す断面図である。
【図４】図４は、本考案の実施例の形態に係るホワイトボードに用いる筆記ボードの軸部材を受ける部分付近の構成を示す斜視図である。
【図５】図３は、本考案の実施例の形態に係るホワイトボードに用いるボード固定部の構成を示す断面図である。
【符号の説明】
【００２３】
１：筆記面（塗装鋼板）
２：フレーム
３：筆記ボード
４：支柱
５：連結体
８：軸部材
【図１】
0003201463.tif 000003
【図２】
0003201463.tif 000004
【図３】
0003201463.tif 000005
【図４】
0003201463.tif 000006
【図５】
0003201463.tif 000007